(57)【要約】【課題】３個の管部を組み合わせた三管丁番において、使用により管部間から異音を発生したり、偏荷重により管部の端面が異常な状態に磨耗しないようにした三管丁番を提供する。【解決手段】上管部３と下管部４を有する枠側羽根１と、これらの上下管部間に組み込まれる管部５を有する扉側羽根２を具備する。枠側羽根の上管部と下管部の端面にはキャップ７、８が固着されている。扉側羽根の管部５には軸６が挿入固定され、管部から上下に露出する軸の先端は上管部及び下管部に上下摺動かつ回動自在に挿入されている。軸６の下端がキャップ８の内面に回動可能に摺接するとともに上管部３の下端面と管部５の上端面間、及び下管部４の上端面と管部５の下端面間には間隙が形成されている。【選択図】図１
2015151721.tif 000002
【特許請求の範囲】
【請求項１】
枠若しくは扉に取り付けるための取付部を有する羽根板の一端側に上下に間隔をあけて上管部と下管部を形成した枠側羽根若しくは扉側羽根と、扉若しくは枠に取り付けるための取付部を有する羽根板の一側部に上記枠側羽根若しくは扉側羽根の上管部と下管部間に組み込まれる管部を形成した扉側羽根若しくは枠側羽根と、上記扉側羽根若しくは枠側羽根の管部に挿通されその上下の突出端が上記枠側羽根若しくは扉側羽根の上管部、下管部に上下摺動可能かつ回動自在に連通される軸と、上記枠側羽根若しくは扉側羽根の上管部の上端および下管部の下端に固着されるキャップを有する三管丁番において、上記軸は扉側丁番若しくは枠側羽根の管部に固着され、扉の重量を支承するよう上記軸の先端を枠側丁番若しくは扉側羽根のキャップの内面に回動自在に当接するとともに上記管部の上下端面と上管部の下端面及び下管部の上端面間に間隙を形成したことを特徴とする三管丁番。
【請求項２】
上記枠側羽根若しくは扉側羽根の上管部に固着したキャップの下面と下管部に固着したキャップの上面間の長さＨは、軸の長さＬに対して、
Ｈ＞L
であり、上記枠側羽根若しくは扉側羽根の上管部の下面と下管部の上面間の長さＨ１は、扉側羽根若しくは枠側羽根の管部の長さＬ１に対して
Ｈ１＞Ｌ１
Ｈ−Ｌ＜Ｈ１−Ｌ１
であることを特徴とする請求項１に記載の三管丁番。
【請求項３】
上記軸の先端には、鋼球が設けられている請求項１または２に記載の三管丁番。
【請求項４】
上記軸及びキャップは、ピンまたは溶接により管部及び上管部、下管部に固着一体化されている請求項１または２に記載の三管丁番。
【請求項５】
上記請求項１から４のいずれかに記載の三管丁番を備え、該三管丁番で枠に扉を吊り込んだ扉装置。
【発明の詳細な説明】
【技術分野】
【０００１】
本発明は旗丁番に関し、特に一方の羽根の一端側の上下に間隔をあけて二個の管部を形成し、他方の羽根に上記二個の管部間に位置する管部を形成して軸で連結した三管丁番に係るものである。
【背景技術】
【０００２】
二個の管部を有する羽根と、一個の管部を有する羽根を組み合わせ、軸で回動自在に連結した三管丁番が知られている（例えば特許文献１参照）。三管丁番は、図４に示すように、枠に取り付ける枠側羽根１と扉に取り付ける扉側羽根２からなり、通常、枠側羽根１は上管部３と下管部４を有し、扉側羽根２はこの上管部３と下管部４間に位置する管部５を有する。上記管部５には、軸６が上下動及び回動自在に連通され、上記枠側羽根１の上管部３の上端及び下管部４の下端は、端部に取り付けたキャップ７、８で閉塞されている。枠側羽根１の上管部３の下端面と扉側羽根２の管部５の上端面の間及び枠側羽根１の下管部４の上端面と扉側羽根２の管部５の間には、それぞれリング状のライナー９、１０が挟み込まれている。そして、軸８の外周を回動中心として枠側羽根１の上管部３、下管部４と扉側羽根２の管部５が相対的に回転し、扉を自在に開閉することができる。
【０００３】
重量のある扉を吊り込む場合、通常は上記のような構成の三管丁番を複数枚用い、扉と枠に取り付けた各丁番で扉の重量を均等に支えている。この際、扉の重量を支えている部位は、枠側羽根１の下管部４の上端面と扉側羽根２の管部５の間のライナー１０を介して枠側羽根１の下管部４の上端面で支えることになる。このライナーはリング状に形成され、扉の開閉に際して摺動性をよくし、耐久性を向上させるために使用されているが、使用により問題を生じることがある。すなわち、枠に吊り込まれた扉は自重により戸(扉)の先端側に傾く力、つまり戸先が垂れる方向に力が働くため、軸６の外周と各羽根の管部の内周間の間隙、枠側羽根１の上下管部に嵌合している部分の軸の長さ、扉の重量等により多少の相違はあるが、扉が戸先方向に傾く傾向にある。そのため、リング状のライナーには、偏荷重が加わり、扉の開閉にともなう経年変化により平均的に磨耗せずに異常な形状に磨耗したり、異音が発生する場合がある。上記のようなライナーを用いずに枠側羽根１の下管部４と扉側羽根２の管部５を直接接触させて摺動させるようにした場合であっても、摺動面で異音や異常磨耗を発生することがある。
【０００４】
三管丁番において、耐荷重力を大きくした丁番も提案されている(例えば特許文献２参照)。この特許文献２に記載の丁番は、扉側羽根の中軸筒に切欠きを設けてこの切欠き部に支持盤を嵌合させ、枠側羽根の上軸筒及び下軸筒にそれぞれ別々の軸芯を固着し、各軸芯の先端を上記中軸筒に回転自在に差し込み、上記支持盤に当接させている。この構成により扉の荷重を下軸筒の上端と下軸芯の先端の２箇所で支えるようにしている。しかし、この構成では、軸芯が上下に分割されているので、扉の保持が不安定であり、扉の垂れ下がりを生じやすく、上記下軸筒の上面や支持盤に偏荷重を生じるおそれも大きい。なお、上述とは逆に、扉側羽根に上管部と下管部を設け、枠側羽根に上下管部に組み込まれる管部を設けた三管丁番も考えられるが、この場合には扉側羽根の上管部の下端面と枠側羽根の管部の上端面で荷重を支持するから、上記とほぼ同様な不都合が生じてくる。以上のような状況に鑑み、市場では、重量扉等に使用でき、偏荷重を受けても、扉側羽根と枠側羽根の管部間の摺動面が耐磨耗性に優れ、摺動性の良い三管丁番が望まれている。
【先行技術文献】
【特許文献】
【０００５】
【特許文献１】実開昭６３−８３３７５号公報（図面）
【特許文献２】特許第２８６０８６３号公報（段落０００５〜００１０、図１、図２、図６）
【発明の概要】
【発明が解決しようとする課題】
【０００６】
本発明は、上記のように枠側羽根と扉側羽根に形成した複数の管部を軸で連通して開閉可能に構成した三管丁番において、枠側羽根と扉側羽根の管部の接触面や管部間に挟み込んだライナーから異常音が発生したり磨耗を生じたりせずに、安定状態で扉を吊り込むことができるようにした三管丁番を提供することである。
【課題を解決するための手段】
【０００７】
複数枚の三管丁番で枠に扉を回動自在に取り付けた状態で、三管丁番の枠側羽根若しくは扉側羽根の上下管部と扉側羽根若しくは枠側羽根の管部の端面の摺動面やその間に挿入したライナーが磨耗、損傷しないようにするためには、上記摺動面が扉重量を受ける面にならなければよい。すなわち、本発明によれば、枠若しくは扉に取り付けるための取付部を有する羽根板の一端側に上下に間隔をあけて上管部と下管部を形成した枠側羽根若しくは扉側羽根と、扉若しくは枠に取り付けるための取付部を有する羽根板の一側部に上記枠側羽根若しくは扉側羽根の上管部と下管部間に組み込まれる管部を形成した扉側羽根若しくは枠側羽根と、上記扉側羽根若しくは枠側羽根の管部に挿通されその上下の突出端が上記枠側羽根若しくは扉側羽根の上管部、下管部に上下摺動可能かつ回動自在に連通される軸と、上記枠側羽根若しくは扉側羽根の上管部の上端および下管部の下端に固着されるキャップを有する三管丁番において、上記軸は扉側丁番若しくは枠側羽根の管部に固着され、扉の重量を支承するよう上記軸の先端を枠側丁番若しくは扉側羽根のキャップの内面に回動自在に当接するとともに上記管部の上下端面と上管部の下端面及び下管部の上端面間に間隙を形成したことを特徴とする三管丁番が提供され、上記課題が解決される。
【０００８】
本発明によれば、上記三管丁番において、枠側羽根若しくは扉側羽根の上管部と下管部の長さが等しく、上下のキャップの寸法が等しく、軸が扉側羽根若しくは枠側羽根の管部の両端から突出する長さが等しいとしたとき、枠側羽根若しくは扉側羽根の上管部の上端に固着したキャップの下面と下管部の下端に固着したキャップの上面間の長さＨは、軸の長さＬに対して、
Ｈ＞L
であり、上記枠側羽根若しくは扉側羽根の上管部の下面と下管部の上面間の長さＨ１は、扉側羽根若しくは枠側羽根の管部の長さＬ１に対して
Ｈ１＞Ｌ１
Ｈ−Ｌ＜Ｈ１−Ｌ１
であることを特徴とする上記三管丁番が提供される。
【発明の効果】
【０００９】
本発明は上記のように構成され、枠若しくは扉に取り付けるための取付部を有する羽根板の一端側に上下に間隔をあけて上管部と下管部を形成した枠側羽根若しくは扉側羽根と、扉若しくは枠に取り付けるための取付部を有する羽根板の一側部に上記枠側羽根若しくは扉側羽根の上管部と下管部間に組み込まれる管部を形成した扉側羽根若しくは枠側羽根と、上記扉側羽根若しくは枠側羽根の管部に挿通されその上下の突出端が上記枠側羽根若しくは扉側羽根の上管部、下管部に上下摺動可能かつ回動自在に連通される軸と、上記枠側羽根若しくは扉側羽根の上管部の上端および下管部の下端に固着されるキャップを有する三管丁番において、上記軸は扉側丁番若しくは枠側羽根の管部に固着され、扉の重量を支承するよう上記軸の先端を枠側丁番若しくは扉側羽根のキャップの内面に回動自在に当接するとともに上記管部の上下端面と上管部の下端面及び下管部の上端面間に間隙を形成したので、扉の重量は軸を介して下管部若しくは上管部に固着したキャップに伝えられ、上記管部の端面と下管部若しくは上管部の端面には扉の荷重は作用しない。したがって、従来のように下管部若しくは上管部と管部の接触面やその間に挿入したライナーに偏荷重が作用したり、磨耗を生じたりするおそれが全くなくなり、異音の発生や異常磨耗の問題が解消される。また、軸は枠側羽根若しくは扉側羽根の上管部及び下管部と扉側羽根若しくは枠側羽根の管部に連通しており、途中で分割されていないから、扉の重量を軸の下端若しくは上端で扉を安定状態で支持することができるとともに、扉の戸先側にかかる重量は扉側羽根若しくは枠側羽根の管部から上下方向に突出する軸と枠側羽根若しくは扉側羽根の上下管部の内周面で保持され、扉の垂れ下がりも防止される。  
【図面の簡単な説明】
【００１０】
【図１】管部を断面した本発明の一実施例を示す正面図。
【図２】図１に示す丁番を上下逆にして使用した場合の正面図。
【図３】扉を吊り込んだ２つの丁番の取付状態の説明図。
【図４】従来の三管丁番の一例を示す説明図。
【発明を実施するための形態】
【００１１】
図１は、本発明の一実施例を示し、基本的な構成は上述した従来のものと変わらないので、従来品と共通する部分は同じ符号を付して説明する。丁番１１は、枠側羽根１と扉側羽根２からなり、枠側羽根１は、上管部３と下管部４を上下に有し、枠への取付部１２を形成した羽根板１３を具備する。扉側羽根２は、上記上管部３と下管部４間に組み込まれる管部５を有し、扉を取り付けるための取付部１４を有する羽根板１５を具備する。上記扉側羽根２の管部５には、該管部５の両端から均等に上下に露出するように軸６が挿入され、軸６の中程と管部５は、平行ピン、割りピン、スプリングピン等のピンや溶接により一体的に固着され、上記軸の露出部は枠側羽根１の上管部３及び下管部４に上下摺動可能かつ回動可能に差し込まれている。この軸６の両先端には、好ましくは鋼球(硬球)１７、１８を埋め込んで固着してある。
【００１２】
上記枠側羽根１の上管部３及び下管部４には、外部にフランジを形成したキャップ７、８が挿入され、平行ピン、割りピン、スプリングピン等のピン１９で上管部及び下管部に固着してあるが溶接により一体的に固着してもよい。該キャップ７、８の内面は上記軸６の先端に対向している。枠側羽根１の上管部３と下管部４の長さが等しく、上下のキャップ７、８の寸法が等しく、軸６が扉側羽根２の管部５の両端から突出する長さＬ２(図３参照)が等しいとしたとき、図３に示すように、枠側羽根１の上管部３の上端に固定一体化したキャップ７の下面と、下管部４の下端に固定一体化したキャップ８の上面間の長さをＨとし、軸の長さをＬとすると、両者の関係は、
Ｈ＞Ｌである。
【００１３】
また、上記枠側羽根１の上管部３の下面と下管部４の上面間の長さＨ１とし、扉側羽根２の管部５の長さＬ１とすると、両者の関係は
Ｈ１＞Ｌ１であり、かつ
Ｈ−Ｌ＜Ｈ１−Ｌ１の関係になっている。
このような関係に寸法を定めることにより、軸６の一方の先端(例えば下端)が一方のキャップ(例えば下管部４に固着したキャップ８)の内面に当接しているとき、軸６の他方の先端(例えば上端)と他方のキャップ(例えば上管部に固着したキャップ７)の内面間には間隙が形成される。これにより、枠側羽根１の上管部３の下面と扉側羽根２の管部５の上面には間隙αが形成され、枠側羽根１の下管部４の上面と扉側羽根２の管部５の下面間には間隙βが形成されることになる。
【００１４】
ここで、上記間隙はそれぞれα＞０、β＞０であり、若しこの間隙に従来のように厚さｔのリング状のライナーを介在させる場合には、α＞ｔ、β＞ｔの関係になるようなライナーを選定するとよい。
【００１５】
図３は、枠２０に扉２１を本発明の三管丁番１１で取り付けた状態を示している。なお、図においては２枚の三管丁番１１が示されているが、実際には扉２１の重量に対応して適宜枚数の三管丁番が用いられる。枠２０と、扉２１と、三管丁番１１で正確(寸法)に取り付け、扉２１を正しく枠２０に吊り込んだ場合、複数枚の三管丁番１１のそれぞれには扉２１の荷重が均等にかかっている。
【００１６】
上記三管丁番に作用する荷重は、軸６の下端部に取り付けた鋼球１８が、枠２０に取り付けた枠側羽根１の下管部４に固着一体化したキャップ８の管内部上面と回動自在に摺接しているので、この部分で重量が支承される。さらに、軸６の上下の露出部の外周面は、枠側羽１根の上下管３、４部の内周面に上下動かつ回転可能に摺接しており、かつ扉側羽根２の管部５の上端部と枠側羽根１の上管部３の下端部間、及び扉側羽根２の管部５の下端部と枠側羽根１の下管部４の上端部の間には、間隙ができた状態となるから、枠２０に対して扉２１は自在に開閉可能となる。また、扉２１の戸先方向に作用する扉の自重は、上記管部５に固着一体化した一本の軸６を上記上下管部３、４に連通させてその内面で支持しているので、がたつくことなく、安定状態で支持され、扉２１は円滑に開閉する。
【００１７】
扉２１の開き勝手が図１に示す場合と逆の場合には、図１に示す三管丁番を上下逆にして枠２０に扉２１を取り付ければよい。この場合は、図２に示すように、図１に示した枠側羽根１の上管部３が下側に位置し、下管部４が上側に位置することになる。そして、扉側羽根２の管部５に固着一体化した軸６の端部に取り付けた鋼球１７が上管部３に固着一体化したキャップ７の管部内の上面に当接して回動自在に摺接し、上記管部５の両端面とこれに対向する上下管３、４の端面間に間隙が形成されることで、枠２０に対して扉２１を自在に開閉することができる。
【００１８】
上記実施例とは逆に、扉側羽根に上下管部を設け、枠側羽根に上下管部間に組み込まれる管部を設けた三管丁番においても、上述とほぼ同様に本発明を適用することができる。すなわち、上管部に固着したキャップの内面に軸の先端を回転自在に当接させて扉の荷重を支持し、管部の上下端面と上下管部間に間隙を設けることによりスムーズに開閉する三管丁番が得られる。なお、管部が３個ある三管丁番について説明したが、さらに複数の管部を有する丁番に本発明を適用できることは明らかである。
【符号の説明】
【００１９】
１    枠側羽根
２    扉側羽根
３    上管部
４    下管部
５    管部
６    軸
７、８  キャップ
１１  丁番
１６、１９  ピン
１７、１８  鋼球
２０  枠
２１  扉
【図１】
2015151721.tif 000003
【図２】
2015151721.tif 000004
【図３】
2015151721.tif 000005
【図４】
2015151721.tif 000006